(57)【要約】【課題】スルーピン等を損傷することなく、軽い力でハーネス接続部材からスルーピンを抜き取る。【解決手段】使用に際しては、ハーネス接続部材Ｈに挿入されているスルーピンＰの後端を把持部１１ａの先端部に挿入し、把持爪によりスルーピンＰの引掛部Ｎを強固に挟持する。操作リング１２を回転によりシャフト１１に対し前進をさせると、操作リング１２の前端はハーネス接続部材Ｈの端部に当接する。更なる操作リング１２の前進により、スルーピンＰはハーネス接続部材Ｈから引き抜かれる。【選択図】図６
2009283331.tif 000002
【特許請求の範囲】
【請求項１】
ハーネス接続部材中に挿入されたスルーピンを引き抜くためのスルーピン抜き取り治具であって、先端に前記スルーピンの端部を把持する把持部を有し中間部に外ねじ部を設けたシャフトと、該シャフトの外ねじ部に回転自在に螺合する内ねじ部を有する操作リングとから成り、前記把持部により前記スルーピンの端部を把持し、前記操作リングを前記シャフトに対し回転しながら前進させることにより、前記操作リングの前端を前記ハーネス接続部材の端部に当接しながら前記スルーピンを抜き取ることを特徴とするスルーピン抜き取り治具。
【請求項２】
前記把持部に一対の把持爪を設けたことを特徴とする請求項１に記載のスルーピン抜き取り治具。
【請求項３】
前記把持部は２つ割り構造とし、前記把持爪の間の間隔を変化し得るようにしたことを特徴とする請求項２に記載のスルーピン抜き取り治具。
【請求項４】
前記スルーピンの端部に掛止部を設け、該掛止部を前記把持爪により挟持することを特徴とする請求項２又は３に記載のスルーピン抜き取り治具。
【発明の詳細な説明】
【技術分野】
【０００１】
本発明は、例えば自動車のハーネス回路において使用するハーネス接続部材を分解するためのスルーピン抜き取り治具に関するものである。
【背景技術】
【０００２】
ハーネス回路においては、幹線から複数の枝線を分岐する必要が屡々あり、従来では、各種の方法により分岐を行っている。本出願人も特許文献１において、合成樹脂から成る柱状体を用いたハーネス接続部材を提案している。
【０００３】
このハーネス接続部材は、図８に示すように、主として保持体１と、電線２を接続し保持体１内に挿入する複数個の受端子３と、把持部４ａを有する１本の角棒状の金属製のスルーピン４とから構成されている。
【０００４】
保持体１は合成樹脂材から成る略円柱体であり、保持体１の中心軸を貫通し、スルーピン４を挿入するためのピン挿入孔１ａが設けられ、保持体１の表面には中心のピン挿入孔１ａに連通する複数個の端子挿入孔１ｂが形成され、各端子挿入孔１ｂは各受端子３の接続部３ａを挿入し得るようにされている。
【０００５】
スルーピン４をピン挿入孔１ａに挿入すると、図９の断面図に示すように、スルーピン４はそれぞれの受端子３の接続部３ａの筒状接点３ｂを貫通し、全ての受端子３がスルーピン４によって短絡されるため、全ての電線２は互いに導通することになる。
【０００６】
【特許文献１】特開２００７−２２６９７５号公報
【発明の開示】
【発明が解決しようとする課題】
【０００７】
このハーネス接続部材を必要に応じて解体するには、スルーピン４を保持体１から引き抜く必要がある。
【０００８】
しかし、特許文献１のスルーピン４は把持部４ａを有しており、ハーネスの使用中などに、この把持部４ａに電線等が引っ掛かったりする不具合がある。また、コスト面から部品点数の低減、軽量化を更に検討する必要がある。従って、最近では把持部４ａを省略し、スルーピン４を保持体１中に埋め込む場合も考えられている。
【０００９】
このような場合には、抜き取りに際してスルーピン４を把持するためのスペースが小さく、把持が困難となる。また、スルーピン４をラジオペンチなどで無雑作に引き抜こうとすると、スルーピン４が滑ったり、スルーピン４を曲げてしまったり、保持体１や受端子３を損傷することがあり、これらの部材の再度の使用が不可能となることがある。
【００１０】
本発明の目的は、上述の課題を解決し、スルーピン等を損傷することなく、軽い力でハーネス接続部材からスルーピンを抜き取ることを可能とするスルーピン抜き取り治具を提供することにある。
【課題を解決するための手段】
【００１１】
上述の目的を達成するための本発明に係るスルーピン抜き取り治具は、ハーネス接続部材中に挿入されたスルーピンを引き抜くためのスルーピン抜き取り治具であって、先端に前記スルーピンの端部を把持する把持部を有し中間部に外ねじ部を設けたシャフトと、該シャフトの外ねじ部に回転自在に螺合する内ねじ部を有する操作リングとから成り、前記把持部により前記スルーピンの端部を把持し、前記操作リングを前記シャフトに対し回転しながら前進させることにより、前記操作リングの前端を前記ハーネス接続部材の端部に当接しながら前記スルーピンを抜き取ることを特徴とする。
【発明の効果】
【００１２】
本発明に係るスルーピン抜き取り治具によれば、取扱いが容易であり、部品を損傷することがない。
【発明を実施するための最良の形態】
【００１３】
本発明を図示の実施例に基づいて詳細に説明する。
本実施例のスルーピン抜き取り治具は、図１に示すようにシャフト１１と操作リング１２から成っている。丸棒状のシャフト１１の先端部には、ハーネス接続部材に使用しているスルーピンの後端を把持する把持部１１ａが設けられ、シャフト１１の中間部には外ねじ部１１ｂが形成され、後端部には大径の握部１１ｃが設けられている。
【００１４】
図２はスルーピンの後端の斜視図であり、スルーピンＰは導電金属板を折り曲げることにより断面四角形の棒状体とされ、その前端は錐状とされ、後端の対向する面には一対の爪状の掛止部Ｎが形成されている。
【００１５】
シャフト１１の把持部１１ａは２つ割り構造とされ、把持部１１ａにはスルーピンＰの後端を収納するための凹部１１ｄが設けられ、把持部１１ａの最先端にスルーピンＰの引掛部Ｎを係止するための一対の把持爪１１ｅ、１１ｆが、図３の正面図にも示すように内側に向けて対向して形成されている。
【００１６】
一方、略円筒状の操作リング１２の中心孔には、シャフト１１の外ねじ部１１ｂと螺合する内ねじ部１２ａが形成されており、外周には滑り止めのためのローレット溝が設けられている。
【００１７】
操作リング１２はシャフト１１に回転自在に螺合した状態で使用され、シャフト１１に対して操作リング１２を回転すると、回転方向に応じて、操作リング１２はシャフト１１に対し前後進することができる。
【００１８】
使用に際しては、ハーネス接続部材Ｈに挿入されているスルーピンＰの後端を把持部１１ａの先端部に挿入し、把持爪１１ｅ、１１ｆをスルーピンＰの引掛部Ｎに係合する。つまり、図４に示すように把持部１１ａの把持爪１１ｅ、１１ｆの間をスルーピンＰの引掛部Ｎのない面が通過するように挿入し、挿入後にシャフト１１をスルーピンＰに対し相対的に９０度回転して図５の状態に至るようにし、把持爪１１ｅ、１１ｆが引掛部Ｎを掛止できるようにする。
【００１９】
続いて、片手で握部１１ｃを持ち、他手で操作リング１２を持って、操作リング１２をシャフト１１に対し回転して前進させる。これにより、２つ割りの把持部１１ａは操作リング１２により締め付けられ、把持爪１１ｅ、１１ｆ同士の間隔が狭められ、引掛部Ｎを強固に挟持する。
【００２０】
更に、操作リング１２を前進してゆくと、図６に示すように操作リング１２の前端はハーネス接続部材Ｈの端部に当接する。更なる操作リング１２の前進により、スルーピンＰはハーネス接続部材Ｈから引き抜かれ始め、ついには図７に示すようにスルーピンＰを抜き取ることができる。
【００２１】
この過程において、スルーピンＰはシャフト１１により直線的に引き抜かれるので、スルーピンＰが変形することはない。また、シャフト１１から引き抜いたスルーピンＰを外すには、操作リング１２をシャフト１１に対して回転させて後進させることにより、把持部１１ａの２つ割りによる締め付けが緩められ、把持部１１ａからスルーピンＰを外すことができる。
【００２２】
なお、スルーピンＰに引掛部Ｎがない場合でも、把持爪１１ｅ、１１ｆを鋭利な形状として、スルーピンＰの端部に咬み付かせて抜き取ることもできる。
【図面の簡単な説明】
【００２３】
【図１】実施例のスルーピン抜き取り治具の縦断面図である。
【図２】スルーピンの後端の斜視図である。
【図３】シャフトの拡大正面図である。
【図４】スルーピンの後端をシャフトの先端部に挿入する状態の説明図である。
【図５】シャフトを回転してスルーピンの掛止部を把持爪で挟持した状態の説明図である。
【図６】操作リングを回転してスルーピンを引き抜く状態の説明図である。
【図７】スルーピンを引き抜いた状態の説明図である。
【図８】ハーネス接続部材の分解斜視図である。
【図９】ハーネス接続部材の縦断面図である。
【符号の説明】
【００２４】
１１  シャフト
１１ａ  把持部
１１ｂ  外ねじ部
１１ｃ  握部
１１ｄ  凹部
１１ｅ、１１ｆ  把持爪
１２  操作リング
１２ａ  内ねじ部
Ｈ  ハーネス接続部材
Ｎ  掛止部
Ｐ  スルーピン
【図１】
2009283331.tif 000003
【図２】
2009283331.tif 000004
【図３】
2009283331.tif 000005
【図４】
2009283331.tif 000006
【図５】
2009283331.tif 000007
【図６】
2009283331.tif 000008
【図７】
2009283331.tif 000009
【図８】
2009283331.tif 000010
【図９】
2009283331.tif 000011